(57)【要約】【課題】高解像度になった場合でも、サブ画素に十分に画像データを書き込むことが可能な表示装置を提供する。【解決手段】走査線１１と、走査線１１を挟んで隣接するように配置され、薄膜トランジスタ１５を有する複数のサブ画素１４とを備え、走査線１１を挟んで隣接するように配置される複数のサブ画素１４のうちの一方のサブ画素１４の薄膜トランジスタ１５と、他方のサブ画素１４の薄膜トランジスタ１５とは、同一の走査線１１に接続されている。【選択図】図２
2011180548.tif 000002
【特許請求の範囲】
【請求項１】
走査線と、前記走査線を挟んで隣接するように配置され、薄膜トランジスタを有する複数のサブ画素とを備え、
前記走査線を挟んで隣接するように配置される前記複数のサブ画素のうちの一方のサブ画素の薄膜トランジスタと、他方のサブ画素の薄膜トランジスタとは、同一の前記走査線に接続されている、表示装置。
【請求項２】
前記走査線を挟んで隣接する前記サブ画素のうちの前記一方のサブ画素と前記他方のサブ画素とにそれぞれ画像データを供給するための第１信号線と第２信号線とを備えていることを特徴とする請求項１に記載の表示装置。
【請求項３】
前記画像データは、フレーム毎に極性が反転する正極性および負極性の画像データを含み、前記第１信号線と前記第２信号線には、極性の異なる画像データが供給されることを特徴とする請求項２に記載の表示装置。
【請求項４】
前記第１信号線と前記第２信号線とに供給する画像データの出力を制御する制御回路をさらに備え、
前記制御回路は、前記走査線を挟んで隣接する一対の画素に画像データを供給した後に、前記画像データが供給された前記一対の画素の前記走査線が延びる方向に隣接する一対の前記画素に画像データを供給することを特徴とする請求項２または３のいずれかに記載の表示装置。
【請求項５】
前記複数のサブ画素のうちの奇数行の奇数列に配置される前記サブ画素と、偶数行の偶数列に配置される前記サブ画素とには、前記第１信号線から画像データが供給され、前記複数のサブ画素のうちの奇数行の偶数列に配置される前記サブ画素と、偶数行の奇数列に配置される前記サブ画素とには、前記第２信号線から画像データが供給されることを特徴とする請求項２〜４のいずれか１項に記載の表示装置。
【請求項６】
前記第１信号線からは、前記正極性の画像データまたは前記負極性の画像データのうちの一方の画像データが供給されるとともに、前記第２信号線からは、前記正極性の画像データまたは前記負極性の画像データのうちの他方の画像データが供給されることを特徴とする請求項５に記載の表示装置。
【請求項７】
前記複数のサブ画素のうちの奇数行に配置される前記サブ画素には、前記第１信号線から画像データが供給されるとともに、前記複数のサブ画素のうちの偶数行に配置される前記サブ画素には、前記第２信号線から画像データが供給されることを特徴とする請求項２〜４のいずれか１項に記載の表示装置。
【請求項８】
前記複数のサブ画素のうちの奇数列に配置される前記サブ画素の前記第１信号線と、偶数列に配置される前記サブ画素の前記第２信号線とには、前記正極性の画像データまたは前記負極性の画像データのうちの一方の画像データが供給されるとともに、前記複数のサブ画素のうちの奇数列に配置される前記サブ画素の前記第２信号線と、偶数列に配置される前記サブ画素の前記第１信号線とには、前記正極性の画像データまたは前記負極性の画像データのうちの他方の画像データが供給されることを特徴とする請求項７に記載の表示装置。
【請求項９】
請求項１〜８のいずれか１項に記載の表示装置を備えることを特徴とする電子機器。
【発明の詳細な説明】
【技術分野】
【０００１】
本発明は、表示装置および電子機器に関し、特に、複数の画素を備える表示装置および電子機器に関する。
【背景技術】
【０００２】
従来、複数の画素を備える表示装置が知られている（たとえば、特許文献１参照）。上記特許文献１に記載の液晶表示装置（表示装置）では、複数の画素は、マトリクス状に配置されており、画素の１行毎に１本の走査線が配置されている。
【先行技術文献】
【特許文献】
【０００３】
【特許文献１】特開２００９−２１０９６７号公報
【発明の概要】
【発明が解決しようとする課題】
【０００４】
しかしながら、上記特許文献１に記載の表示装置では、表示装置が高解像度になった（つまり画素の数が多くなった）場合に、走査線の本数が増加するため、１フレームの期間の間に１本の走査線がＨレベルになる期間が短くなるという不都合がある。その結果、画素に含まれる薄膜トランジスタがオン状態になる期間が短くなるため、画素（サブ画素）に十分に画像データを書き込むことができないという問題点がある。
【０００５】
この発明は、上記のような課題を解決するためになされたものであり、この発明の１つの目的は、高解像度になった場合でも、サブ画素に十分に画像データを書き込むことが可能な表示装置および電子機器を提供することである。
【課題を解決するための手段および発明の効果】
【０００６】
上記目的を達成するために、この発明の第１の局面における表示装置は、走査線と、走査線を挟んで隣接するように配置され、薄膜トランジスタを有する複数のサブ画素とを備え、走査線を挟んで隣接するように配置される複数のサブ画素のうちの一方のサブ画素の薄膜トランジスタと、他方のサブ画素の薄膜トランジスタとは、同一の走査線に接続されている。
【０００７】
この第１の局面による表示装置では、上記のように、走査線を挟んで隣接するように配置される複数のサブ画素のうちの一方のサブ画素の薄膜トランジスタと、他方のサブ画素の薄膜トランジスタとを、同一の走査線に接続することによって、走査線を挟んで隣接するように配置される複数のサブ画素のうちの一方の画素の薄膜トランジスタと、他方のサブ画素の薄膜トランジスタとに別々の走査線を接続する場合と異なり、走査線の数を半分に減らすことができるので、高解像度になって走査線の数が増えた場合でも、１フレームの期間の間に１本の走査線がＨレベルになる期間を長くすることができる。その結果、サブ画素に含まれる薄膜トランジスタがオン状態になる期間が長くなるので、サブ画素に十分に画像データを書き込むことができる。
【０００８】
上記第１の局面による表示装置において、好ましくは、走査線を挟んで隣接するサブ画素のうちの一方のサブ画素と他方のサブ画素とにそれぞれ画像データを供給するための第１信号線と第２信号線とを備えていることを特徴とする。このように構成すれば、走査線を挟んで隣接するように配置される複数のサブ画素のうちの一方のサブ画素の薄膜トランジスタと他方のサブ画素の薄膜トランジスタとを同一の走査線に接続した場合でも、容易に、走査線を挟んで隣接するサブ画素のうちの一方のサブ画素と他方のサブ画素とに個別に画像データを供給することができる。
【０００９】
この場合、好ましくは、画像データは、フレーム毎に極性が反転する正極性および負極性の画像データを含み、第１信号線と第２信号線には、極性の異なる画像データが供給されることを特徴とする。このように構成すれば、走査線を挟んで隣接するように配置される複数のサブ画素のうちの一方のサブ画素と他方のサブ画素とには、それぞれ極性の異なる画像データが供給されるので、第１信号線と第２信号線とから極性の異なる画像データが供給される列反転駆動を用いて、列方向のサブ画素に供給される画像データの極性が交互に異なるドット反転駆動を行うことができる。
【００１０】
上記第１信号線と第２信号線とを備える表示装置において、好ましくは、第１信号線と第２信号線とに供給する画像データの出力を制御する制御回路をさらに備え、制御回路は、走査線を挟んで隣接する一対の画素に画像データを供給した後に、画像データが供給された一対の画素の走査線が延びる方向に隣接する一対の画素に画像データを供給することを特徴とする。このように構成すれば、１本の走査線をオン状態にしたままの状態で、行方向に隣接する画素に画像データを供給することができるので、１本の走査線をオン状態にしたままの状態で、走査線を挟んで隣接する２行分の全ての画素に画像データを供給することができる。
【００１１】
上記第１信号線と第２信号線とを備える表示装置において、好ましくは、複数のサブ画素のうちの奇数行の奇数列に配置されるサブ画素と、偶数行の偶数列に配置されるサブ画素とには、第１信号線から画像データが供給され、複数のサブ画素のうちの奇数行の偶数列に配置されるサブ画素と、偶数行の奇数列に配置されるサブ画素とには、第２信号線から画像データが供給されることを特徴とする。このように構成すれば、第１信号線と第２信号線とから互いに極性の異なる画像データを供給することにより、列方向に隣接するサブ画素に供給される画像データの極性が交互に変化するとともに、行方向に隣接するサブ画素に供給される画像データの極性が交互に変化するので、信号線に供給される画像データが隣接する信号線で交互に異なる列反転駆動のままで、容易に、ドット反転駆動を行うことができる。その結果、信号線に供給される画像データの極性をサブ画素毎に反転させる従来のドット反転駆動と異なり、信号線に供給される画像データの極性がフレーム毎に反転するので、極性の反転の回数が減る分、消費電力を小さくすることができる。
【００１２】
この場合、好ましくは、第１信号線からは、正極性の画像データまたは負極性の画像データのうちの一方の画像データが供給されるとともに、第２信号線からは、正極性の画像データまたは負極性の画像データのうちの他方の画像データが供給されることを特徴とする。このように構成すれば、正極性の画像データを供給する信号線と、負極性の画像データを供給する信号線とを交互に配置することができるので、正極性の画像データを供給する信号線と負極性の画像データを供給する信号線とを交互に駆動する従来の列反転駆動の信号線駆動回路を用いることができる。
【００１３】
上記第１信号線と第２信号線とを備える表示装置において、好ましくは、複数のサブ画素のうちの奇数行に配置されるサブ画素には、第１信号線から画像データが供給されるとともに、複数のサブ画素のうちの偶数行に配置されるサブ画素には、第２信号線から画像データが供給されることを特徴とする。このように構成すれば、行方向に隣接する画素に含まれる複数のサブ画素のそれぞれの薄膜トランジスタの配置される側（第1信号線側または第２信号線側）を同じにすることができるので、複数のサブ画素の薄膜トランジスタの配置が複雑になるのを抑制することができる。
【００１４】
この場合、好ましくは、複数のサブ画素のうちの奇数列に配置されるサブ画素の第１信号線と、偶数列に配置されるサブ画素の第２信号線とには、正極性の画像データまたは負極性の画像データのうちの一方の画像データが供給されるとともに、複数のサブ画素のうちの奇数列に配置されるサブ画素の第２信号線と、偶数列に配置されるサブ画素の第１信号線とには、正極性の画像データまたは負極性の画像データのうちの他方の画像データが供給されることを特徴とする。このように構成すれば、列方向に隣接するサブ画素に供給される画像データの極性が交互に変化するとともに、行方向に隣接するサブ画素に供給される画像データの極性が交互に変化するので、信号線に供給される画像データが隣接する信号線で交互に異なる列反転駆動のままで、容易に、ドット反転駆動を行うことができる。その結果、信号線に供給される画像データの極性を画素毎に反転させる従来のドット反転駆動と異なり、信号線に供給される画像データの極性がフレーム毎に反転するので、極性の反転の回数が減る分、消費電力を小さくすることができる。
【００１５】
この発明の第２の局面による電子機器は、上記いずれかの構成を有する表示装置を備える。このように構成すれば、高解像度になった場合でも、サブ画素に十分に画像データを書き込むことが可能な表示装置を備える電子機器を得ることができる。
【図面の簡単な説明】
【００１６】
【図１】本発明の第１実施形態による液晶表示装置のブロック図である。
【図２】本発明の第１実施形態による液晶表示装置の表示領域の回路図である。
【図３】本発明の第１実施形態による液晶表示装置の信号線に供給される画像データの極性を説明するための図である。
【図４】従来の液晶表示装置の表示領域の回路図である。
【図５】本発明の第１実施形態による液晶表示装置の画像データの並べ替えを説明するための図である。
【図６】本発明の第１実施形態による液晶表示装置の信号線に供給される画像データを説明するための図である。
【図７】本発明の第１実施形態による液晶表示装置のサブ画素に供給される画像データを説明するための図である。
【図８】本発明の第１実施形態による液晶表示装置のサブ画素に供給される画像データの極性を説明するための図である。
【図９】本発明の第２実施形態による液晶表示装置の表示領域の回路図である。
【図１０】本発明の第２実施形態による液晶表示装置の信号線に供給される画像データの極性を説明するための図である。
【図１１】本発明の第２実施形態による液晶表示装置のサブ画素に供給される画像データを説明するための図である。
【図１２】本発明の第１および第２実施形態による液晶表示装置を用いた電子機器の第１の例を説明するための図である。
【図１３】本発明の第１および第２実施形態による液晶表示装置を用いた電子機器の第２の例を説明するための図である。
【図１４】本発明の第１および第２実施形態による液晶表示装置を用いた電子機器の第３の例を説明するための図である。
【発明を実施するための形態】
【００１７】
以下、本発明の実施形態を図面に基づいて説明する。
【００１８】
（第１実施形態）
図１および図２を参照して、本発明の第１実施形態による液晶表示装置１００の構成について説明する。
【００１９】
第１実施形態による液晶表示装置１００は、図１に示すように、Ｉ／Ｏ（入出力）ブロック１と、タイミングコントロールブロック２と、データラッチブロック３と、ソースドライバ４と、ゲートドライバ５と、表示領域６とを備えている。なお、タイミングコントロールブロック２は、本発明の「制御回路」の一例である。Ｉ／Ｏブロック１は、画像データやタイミングコントロール信号などが入力されるように構成されている。タイミングコントロールブロック２は、Ｉ／Ｏブロック１と、データラッチブロック３と、ゲートドライバ５とに接続されている。また、Ｉ／Ｏブロック１からは、後述するデータバスグループＡ、ＢおよびＣを介して、タイミングコントロールブロック２に画像データが供給されるように構成されている。また、データバスグループＡ、ＢおよびＣを介して供給された画像データは、タイミングコントロールブロック２が生成する信号に基づいて、後述する信号線１２に供給されるとともに、画素１３に書き込まれるように構成されている。また、データラッチブロック３は、タイミングコントロールブロック２に接続されており、タイミングコントロールブロック２から供給される画像データを一時的に保持する機能を有する。また、ソースドライバ４は、データラッチブロック３と信号線１２とに接続されており、データラッチブロック３に保持されている画像データを、信号線１２を介して画素１３に供給するように構成されている。
【００２０】
また、図２に示すように、表示領域６には、複数の走査線１１と、複数の信号線１２とが交差するように配置されている。なお、走査線１１は、表示領域６の矢印Ｙ１方向から矢印Ｙ２方向に向かって順に配置される走査線Ｇ（１）、走査線Ｇ（２）、・・・、走査線Ｇ（ｍ／２）を含む。また、信号線１２は、表示領域６の矢印Ｘ１方向から矢印Ｘ２方向に向かって順に配置される信号線Ｓ（１）、信号線Ｓ（２）、・・・、信号線Ｓ（２ｎ）を含む。走査線１１と信号線１２とが交差する位置には、画素１３（サブ画素１４）が設けられている。なお、画素１３（サブ画素１４）は、マトリクス状に配置されている。また、１つの画素１３は、赤色（Ｒ）を表示するサブ画素１４ａと、緑色（Ｇ）を表示するサブ画素１４ｂと、青色を表示するサブ画素１４ｃとによって構成されている。また、サブ画素１４ａと、サブ画素１４ｂと、サブ画素１４ｃとは、走査線１１が延びる方向（Ｘ方向）に沿ってこの順で隣接するように配置されている。
【００２１】
また、画素１３（サブ画素１４）は、アモルファスシリコン（ａ−Ｓｉ）からなる薄膜トランジスタ１５と、画素電極１６と、共通電極１７と、液晶層１８とを含んでいる。薄膜トランジスタ１５のゲートには、走査線１１が接続されるとともに、薄膜トランジスタ１５のソースには、信号線１２が接続されている。また、薄膜トランジスタ１５のドレインには、画素電極１６が接続されている。また、共通電極１７は、画素電極１６と対向するように設けられており、液晶層１８は、画素電極１６と共通電極１７との間に挟持されている。
【００２２】
ここで、第１実施形態では、画素１３（サブ画素１４）は、１本の走査線１１を挟んで隣接するように配置さている。つまり、１本の走査線１１で、２行分の画素１３の薄膜トランジスタ１５を駆動するように構成されている。また、赤色（Ｒ）を表示するサブ画素１４ａは、列方向（Ｙ方向）に隣接するように配置されている。同様に、緑色（Ｇ）を表示するサブ画素１４ｂ、および、青色（Ｂ）を表示するサブ画素１４ｃも、それぞれ、列方向（Ｙ方向）に隣接するように配置されている。
【００２３】
また、第１実施形態では、サブ画素１４の一方端側（矢印Ｘ１方向側）と他方端側（矢印Ｘ２方向側）とには、それぞれ、信号線１２ａ（Ｓ（１）、Ｓ（３）、Ｓ（５）・・・）と信号線１２ｂ（Ｓ（２）、Ｓ（４）、Ｓ（６）・・・）とが配置されている。なお、信号線１２ａおよび信号線１２ｂは、それぞれ、本発明の「第１信号線」および「第２信号線」の一例である。そして、奇数行（１行目、３行目・・・）の奇数列（１列目、３列目・・・）に配置されるサブ画素１４の薄膜トランジスタ１５のソースには、信号線１２ａが接続されている。また、奇数行（１行目、３行目・・・）の偶数列（２列目、４列目・・・）に配置されるサブ画素１４の薄膜トランジスタ１５のソースには、信号線１２ｂが接続されている。また、偶数行（２行目、４行目・・・）の奇数列（１列目、３列目・・・）に配置されるサブ画素１４の薄膜トランジスタ１５のソースには、信号線１２ｂが接続されている。また、偶数行（２行目、４行目・・・）の偶数列（２列目、４列目・・・）に配置されるサブ画素１４の薄膜トランジスタ１５のソースには、信号線１２ａが接続されている。
【００２４】
また、第１実施形態では、図３に示すように、サブ画素１４のＸ１方向側に配置される信号線１２ａ（Ｓ（１）、Ｓ（３）、Ｓ（５）・・・）は、１フレーム目には、正極性（＋）の画像データが供給されるように構成されている。また、Ｘ２方向側に配置される信号線１２ｂ（Ｓ（２）、Ｓ（４）、Ｓ（６）・・・）は、１フレーム目には、負極性（−）の画像データが供給されるように構成されている。つまり、信号線１２ａと信号線１２ｂとから供給される画像データは、極性が異なる。また、２フレーム目には、供給される画像データの極性が反転する。そして、フレームが変わる毎に画像データの極性が反転する。
【００２５】
次に、図４および図５を参照して、本発明の第１実施形態による画像データの並べ替えの動作について説明する。
【００２６】
まず、図４に示す行毎に１本の走査線１１１を有する従来の液晶表示装置２００に供給される画像データの配列について説明する。液晶表示装置２００に供給される画像データでは、図５に示す画像データ配列Ａのように、３つのデータバスグループＡ、ＢおよびＣから、それぞれ、１行目の１画素（ｐｉ）目の赤色（サブ画素１４１ａ）の画像データ、１行目の１画素（ｐｉ）目の緑色（サブ画素１４１ｂ）の画像データ、および、１行目の１画素（ｐｉ）目の青色（サブ画素１４１ｃ）の画像データが供給される。なお、図５に示す「１行１ｐｉ（赤）」は、１行目の１画素目の赤のサブ画素の画像データを意味している。つまり、「ｐｉ」は、画素（ｐｉｘｅｌ）を意味している。その後、１行目の２画素目以降ｎ画素目（ｎは自然数）までの赤、緑および青の画像データが順次供給される。そして、１行目の全ての画素１３（サブ画素１４１ａ、１４１ｂおよび１４１ｃ）に画像データが供給された後、２行目の画素１３の画像データが、２行目の１画素（ｐｉ）目から順次供給される。なお、３行目の画素１３からｍ行目（ｍは自然数）の画素１３についても同様である。
【００２７】
そして、第１実施形態による液晶表示装置１００では、１本の走査線１１に２行分の画素１３（サブ画素１４）が接続されているので、上記画像データ配列Ａにおける２行分の画像データを１つにまとめるように並び替える。なお、画像データの並べ替えは、図１に示すタイミングコントロールブロック２において行われる。図５では、１行目の画像データと２行目の画像データとを１つにまとめる例を示している。具体的には、点線で示すように、画像データ配列Ａの１行目データの赤色の画像データと１行目データの緑色の画像データとを交互に配置することにより、画像データ配列ＢのデータバスグループＡの画像データを作成する。また、画像データ配列Ａの２行目データの赤色の画像データと１行目データの青色の画像データとを交互に配置することにより、画像データ配列ＢのデータバスグループＢの画像データを作成する。また、画像データ配列Ａの２行目データの緑色の画像データと２行目データの青色の画像データとを交互に配置することにより、画像データ配列ＢのデータバスグループＣの画像データを作成する。
【００２８】
つまり、ｉ行目（ｉは自然数）の画像データとｉ＋１行目の画像データとを１つにまとめる場合では、画像データ配列Ａのｉ行目データの赤色の画像データとｉ行目データの緑色の画像データとを交互に配置することにより、画像データ配列ＢのデータバスグループＡの画像データを作成する。また、画像データ配列Ａのｉ＋１行目データの赤色の画像データとｉ行目データの青色の画像データとを交互に配置することにより、データバスグループＢの画像データを作成する。また、画像データ配列Ａのｉ＋１行目データの緑色の画像データとｉ＋１行目データの青色の画像データとを交互に配置することにより、データバスグループＣの画像データを作成する。
【００２９】
次に、図６〜図８を参照して、本発明の第１実施形態による液晶表示装置１００の画像データを信号線１２に供給する動作について説明する。
【００３０】
タイミングコントロールブロック２（図１参照）において並べ替えられた画像データ（１行目データおよび２行目データ）は、データラッチブロック３およびソースドライバ４を介して、信号線１２に供給される。具体的には、図６の画像データ配列Ｃに示すように、画像データ配列Ｂに配置される画像データが、データバスグループＡ、データバスグループＢ、データバスグループＣから１つずつ信号線Ｓ（１）〜Ｓ（２ｎ）に供給される。すなわち、点線で示すように、信号線Ｓ（１）には、画像データ配列ＢのデータバスグループＡから１行目の１画素（ｐｉ）目の赤（サブ画素１４ａ）の画像データが供給される。また、信号線Ｓ（２）には、データバスグループＢから２行目の１画素（ｐｉ）目の赤の画像データが供給される。また、信号線Ｓ（３）には、データバスグループＣから２行目の１画素（ｐｉ）目の緑（サブ画素１４ｂ）の画像データが供給される。また、信号線Ｓ（４）には、データバスグループＡから１行目の１画素（ｐｉ）目の緑の画像データが供給される。また、信号線Ｓ（５）には、データバスグループＢから１行目の１画素（ｐｉ）目の青（サブ画素１４ｃ）の画像データが供給される。また、信号線Ｓ（６）には、データバスグループＣから２行目の１画素（ｐｉ）目の青の画像データが供給される。また、信号線Ｓ（７）以降も同様に、データバスグループＡ、Ｂ、Ｃから順に画像データが供給される。
【００３１】
つまり、データバスグループＡからは、３ｊ−２番目（ｊは自然数）の信号線１２（Ｓ（１）、Ｓ（４）、・・・Ｓ（２ｎ−２））に画像データが供給される。また、データバスグループＢからは、３ｊ−１番目の信号線１２（Ｓ（２）、Ｓ（５）・・・、Ｓ（２ｎ―１））に画像データが供給される。また、データバスグループＣからは、３ｊ番目の信号線１２（Ｓ（３）、Ｓ（６）・・・、Ｓ（２ｎ））に画像データが供給される。なお、３行目データ以降ｍ行目までの画像データも同様に、タイミングコントロールブロック２において２行分の画像データが１つにまとめるように並べ替えられた後、順次信号線１２に供給される。
【００３２】
そして、図７に示すように、タイミングコントロールブロック２によって並び替えられた画像データがサブ画素１４に供給される。具体的には、タイミングコントロールブロック２によって、信号線Ｓ（１）から信号線Ｓ（ｎ）まで順次サブ画素１４に画像データが供給される。これにより、１行目の１画素目の赤のサブ画素１４、２行目の１画素目の赤のサブ画素１４、２行目の１画素目の緑のサブ画素１４、１行目の１画素目の緑のサブ画素１４、１行目の１画素目の青のサブ画素１４、２行目の１画素目の青のサブ画素１４の順に画像データが供給される。そして、第１実施形態では、走査線１１を挟んで隣接する１行目の１画素目および２行目の１画素目のサブ画素１４に画像データを供給した後、走査線１１方向に隣接する１行目の２画素目および２行目の２画素目のサブ画素１４に画像データを供給する。このように、走査線１１を挟んで隣接する一対の画素１３に画素データを供給した後、走査線１１が延びる方向に隣接し、走査線１１を挟んで隣接する一対の画素１３に画素データを供給する。
【００３３】
また、信号線Ｓ（１）からは、奇数行１列目の赤の画像データが供給される。また、信号線Ｓ（２）からは、偶数行１列目の赤の画像データが供給される。また、信号線Ｓ（３）からは、偶数行２列目の緑の画像データが供給される。また、信号線Ｓ（４）からは、奇数行２列目の緑の画像データが供給される。つまり、奇数行の奇数列に配置されるサブ画素１４と、偶数行の偶数列に配置されるサブ画素１４とには、サブ画素１４のＸ１方向側に配置される信号線１２ａ（信号線Ｓ（１）、Ｓ（３）、Ｓ（５）・・・）から画像データが供給される。また、奇数行の偶数列に配置されるサブ画素１４と、偶数行の奇数列に配置されるサブ画素１４とには、サブ画素１４のＸ２方向側に配置される信号線１２ｂ（信号線Ｓ（２）、Ｓ（４）、Ｓ（６）・・・）から画像データが供給される。
【００３４】
なお、図３に示すように、サブ画素１４のＸ１方向側に配置される信号線１２ａ（Ｓ（１）、Ｓ（３）、Ｓ（５）・・・）は、１フレーム目には、正極性（＋）の画像データが供給される。また、Ｘ２方向側に配置される信号線１２ｂ（Ｓ（２）、Ｓ（４）、Ｓ（６）・・・）は、１フレーム目には、負極性（−）の画像データが供給される。これにより、信号線１２ａおよび１２ｂに供給される画像データは、列毎に極性が異なる列反転駆動でありながら、図８に示すように、サブ画素１４に供給される画像データは、列方向および行方向で、それぞれ、正極性の画像データと負極性の画像データとが交互に配置されるドット反転駆動となる。
【００３５】
第１実施形態では、上記のように、走査線１１を挟んで隣接するように配置される複数のサブ画素１４のうちの一方のサブ画素１４の薄膜トランジスタ１５と、他方のサブ画素１４の薄膜トランジスタ１５とを、同一の走査線１１に接続することによって、走査線１１を挟んで隣接するように配置される複数のサブ画素１４のうちの一方のサブ画素１４の薄膜トランジスタ１５と、他方のサブ画素１４の薄膜トランジスタ１５とに別々の走査線１１を接続する場合と異なり、走査線１１の数を半分に減らすことができるので、高解像度になって走査線１１の数が増えた場合でも、１フレームの期間の間に１本の走査線１１がＨレベルになる期間を長くすることができる。その結果、サブ画素１４に含まれる薄膜トランジスタ１５がオン状態になる期間が長くなるので、サブ画素１４に十分に画像データを書き込むことができる。
【００３６】
また、第１実施形態では、上記のように、走査線１１を挟んで隣接するサブ画素１４のうちの一方のサブ画素１４と他方のサブ画素１４とにそれぞれ画像データを供給するための信号線１２ａと信号線１２ｂとを設けることによって、走査線１１を挟んで隣接するように配置される複数のサブ画素１４のうちの一方のサブ画素１４の薄膜トランジスタ１５と他方のサブ画素１４の薄膜トランジスタ１５とを同一の走査線１１に接続した場合でも、容易に、走査線１１を挟んで隣接するサブ画素１４のうちの一方のサブ画素１４と他方の画素１３とに個別に画像データを供給することができる。
【００３７】
また、第１実施形態では、上記のように、画像データが、フレーム毎に極性が反転する正極性および負極性の画像データを含み、信号線１２ａと信号線１２ｂとから、極性の異なる画像データを供給することによって、走査線１１を挟んで隣接するように配置される複数のサブ画素１４のうちの一方のサブ画素１４と他方のサブ画素１４とには、それぞれ極性の異なる画像データが供給されるので、信号線１２ａと信号線１２ｂとから極性の異なる画像データが供給される列反転駆動を用いて、列方向のサブ画素１４に供給される画像データの極性が交互に異なるドット反転駆動を行うことができる。
【００３８】
また、第１実施形態では、上記のように、タイミングコントロールブロック２を、走査線１１を挟んで隣接する一対の画素１３に画像データを供給した後に、画像データが供給された一対の画素１３の走査線１１が延びる方向に隣接する一対の画素１３に画像データを供給するように構成することによって、１本の走査線１１をオン状態にしたままの状態で、行方向に隣接する画素１３に画像データを供給することができるので、１本の走査線１１をオン状態にしたままの状態で、走査線１１を挟んで隣接する２行分の画素１３に画像データを供給することができる。
【００３９】
また、第１実施形態では、上記のように、複数のサブ画素１４のうちの奇数行の奇数列に配置されるサブ画素１４と、偶数行の偶数列に配置されるサブ画素１４とに、信号線１２ａから画像データを供給し、複数のサブ画素１４のうちの奇数行の偶数列に配置されるサブ画素１４と、偶数行の奇数列に配置されるサブ画素１４とに、信号線１２ｂから画像データを供給することによって、信号線１２ａと信号線１２ｂとから互いに極性の異なる画像データを供給することにより、列方向に隣接するサブ画素１４に供給される画像データの極性を交互に変化させるとともに、行方向に隣接するサブ画素１４に供給される画像データの極性を交互に変化させることができる。これにより、信号線１２に供給される画像データが、隣接する信号線１２で交互に異なる列反転駆動のままで、容易に、ドット反転駆動を行うことができる。その結果、信号線１２に供給される画像データの極性をサブ画素１４毎に反転させる従来のドット反転駆動と異なり、信号線１２に供給される画像データの極性がフレーム毎に反転するので、極性の反転の回数が減る分、消費電力を小さくすることができる。
【００４０】
また、第１実施形態では、上記のように、信号線１２ａから、正極性の画像データまたは負極性の画像データのうちの一方を供給するとともに、信号線１２ｂから、正極性の画像データまたは負極性の画像データのうちの他方を供給することによって、正極性の画像データを供給する信号線１２と、負極性の画像データを供給する信号線１２とを交互に配置することができるので、正極性の画像データを供給する信号線と負極性の画像データを供給する信号線とを交互に駆動する従来の列反転駆動のソースドライバ４を用いることができる。
【００４１】
（第２実施形態）
次に、図９および図１０を参照して、第２実施形態による液晶表示装置１０１の構成について説明する。この第２実施形態では、行方向に隣接するように配置されるサブ画素１４のうち、奇数列に配置されるサブ画素１４と偶数列に配置されるサブ画素１４とで、画像データが供給される信号線（信号線１２ａおよび１２ｂ）が異なる上記第１実施形態と異なり、奇数行に配置されるサブ画素１４と偶数行に配置されるサブ画素１４とで、画像データが供給される信号線（信号線１２ａおよび１２ｂ）が異なる例について説明する。
【００４２】
図９に示すように、第２実施形態による液晶表示装置１０１では、サブ画素１４の一方端側（矢印Ｘ１方向側）と他方端側（矢印Ｘ２方向側）とには、それぞれ、信号線１２ａ（Ｓ（１）、Ｓ（３）、Ｓ（５）・・・）と信号線１２ｂ（Ｓ（２）、Ｓ（４）、Ｓ（６）・・・）とが配置されている。そして、奇数行（１行目、３行目・・・）に配置されるサブ画素１４の薄膜トランジスタ１５のソースには、信号線１２ａが接続されている。また、偶数行（２行目、４行目・・・）に配置されるサブ画素１４の薄膜トランジスタ１５のソースには、信号線１２ｂが接続されている。
【００４３】
また、図１０に示すように、奇数行の奇数列に配置されるサブ画素１４に画像データを供給する信号線１２ａ（Ｓ（１）、Ｓ（５）・・・）は、１フレーム目には、正極性（＋）の画像データが供給されるとともに、偶数行の奇数列に配置されるサブ画素１４に画像データを供給する信号線１２ｂ（Ｓ（２）、Ｓ（６）・・・）は、１フレーム目には、負極性（−）の画像データが供給される。また、奇数行の偶数列に配置されるサブ画素１４に画像データを供給する信号線１２ａ（Ｓ（３）、Ｓ（７）・・・）は、１フレーム目には、負極性（−）の画像データが供給されるとともに、偶数行の偶数列に配置されるサブ画素１４に画像データを供給する信号線１２ｂ（Ｓ（４）、Ｓ（８）・・・）は、１フレーム目には、正極性（＋）の画像データが供給される。つまり、信号線１２に供給される画像データの極性は、正極性、負極性、負極性、正極性の順に変化する。
【００４４】
なお、第２実施形態のその他の構成は、上記第１実施形態と同様である。また、２行分の画像データを１つにまとめる画像データの並べ替えの動作は、図５および図６に示す上記第１実施形態と同様である。
【００４５】
次に、図１１を参照して、タイミングコントロールブロック２によって並び替えられた画像データがサブ画素１４に供給される動作について説明する。
【００４６】
図１１に示すように、信号線Ｓ（１）からは、奇数行１画素目の赤の画像データが供給される。また、信号線Ｓ（２）からは、偶数行１画素目の赤の画像データが供給される。また、信号線Ｓ（３）からは、奇数行１画素目の緑の画像データが供給される。また、信号線Ｓ（４）からは、偶数行１画素目の緑の画像データが供給される。つまり、奇数行に配置されるサブ画素１４には、サブ画素１４を挟むように配置される信号線１２のうち、矢印Ｘ１方向側の信号線１２ａ（信号線Ｓ（１）、Ｓ（３）・・・）から画像データが供給される。また、偶数行に配置されるサブ画素１４には、矢印Ｘ２方向側の信号線１２ｂ（信号線Ｓ（２）、Ｓ（４）・・・）から画像データが供給される。
【００４７】
なお、図１０に示すように、信号線Ｓ（１）、Ｓ（２）、Ｓ（３）、Ｓ（４）・・・に供給される画像データの極性は、正極性、負極性、負極性、正極性の順に変化する。これにより、図８に示す上記第１実施形態と同様に、信号線１２ａおよび１２ｂに供給される画像データは、列毎に極性が異なる列反転駆動でありながら、サブ画素１４に供給される画像データは、列方向および行方向で、それぞれ、正極性の画像データと負極性の画像データとが交互に配置されるドット反転駆動となる。
【００４８】
第２実施形態では、上記のように、複数のサブ画素１４のうちの奇数行に配置されるサブ画素１４に、信号線１２ａから画像データを供給するとともに、複数のサブ画素１４のうちの偶数行に配置されるサブ画素１４に、信号線１２ｂから画像データを供給することによって、行方向に隣接する画素１３に含まれる複数のサブ画素１４のそれぞれの薄膜トランジスタ１５の配置される側（信号線１２ａ側または信号線１２ｂ側）を同じにすることができるので、複数のサブ画素１４の薄膜トランジスタ１５の配置が複雑になるのを抑制することができる。
【００４９】
また、第２実施形態では、上記のように、複数のサブ画素１４のうちの奇数列に配置されるサブ画素１４の信号線１２ａと、偶数列に配置されるサブ画素１４の信号線１２ｂとには、正極性の画像データまたは負極性の画像データのうちの一方を供給するとともに、複数のサブ画素１４のうちの奇数列に配置されるサブ画素１４の信号線１２ｂと、偶数列に配置されるサブ画素１４の信号線１２ａとに、異なる極性の画像データを供給することによって、列方向に隣接するサブ画素１４に供給される画像データの極性を交互に変化させるとともに、行方向に隣接するサブ画素１４に供給される画像データの極性を交互に変化させることができる。これにより、信号線１２に供給される画像データが、隣接する信号線１２で交互に異なる列反転駆動のままで、容易に、ドット反転駆動を行うことができる。その結果、信号線１２に供給される画像データの極性をサブ画素１４毎に反転させる従来のドット反転駆動と異なり、信号線１２に供給される画像データの極性がフレーム毎に反転するので、極性の反転の回数が減る分、消費電力を小さくすることができる。
【００５０】
（応用例）
図１２〜図１４を参照して、本実施形態による液晶表示装置１００および１０１を用いた電子機器について説明する。
【００５１】
本実施形態による液晶表示装置１００および１０１は、図１２〜図１４に示すように、第１の例としてのＰＣ（Ｐｅｒｓｏｎａｌ  Ｃｏｍｐｕｔｅｒ）３００、第２の例としての携帯電話４００、および、第３の例としての情報携帯端末５００（ＰＤＡ：Ｐｅｒｓｏｎａｌ  Ｄｉｇｉｔａｌ  Ａｓｓｉｓｔａｎｔｓ）などに用いることが可能である。
【００５２】
図１２の第１の例によるＰＣ３００においては、表示画面３１０などに本実施形態による液晶表示装置１００および１０１を用いることが可能である。図１３の第２の例による携帯電話４００においては、表示画面４１０に本実施形態による液晶表示装置１００および１０１を用いることが可能である。図１４の第３の例による情報携帯端末５００においては、表示画面５１０に本実施形態による液晶表示装置１００および１０１を用いることが可能である。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記第１および第２実施形態では、画素が赤、緑および青の３つのサブ画素を含む例を示したが、本発明はこれに限らない。本発明では、画素が２つのサブ画素を含んでいてもよいし、４つ以上のサブ画素を含んでいてもよい。また、本発明では、画素がサブ画素を含まないようにしてもよい。つまり、１つのサブ画素によって画素が構成されるようにしてもよい。
【００５５】
また、上記第１および第２実施形態では、サブ画素がドット反転駆動する例を示したが、本発明はこれに限らない。本発明では、サブ画素が列反転駆動するようにしてもよい。この場合、奇数列のサブ画素の両端に配置される２つの信号線と、偶数列のサブ画素の両端に配置される２つの信号線とは、それぞれ、極性の異なる画像データが供給される。
【００５６】
また、上記第１および第２実施形態では、サブ画素の両端にそれぞれ信号線が配置される例を示したが、本発明はこれに限らない。たとえば、サブ画素の一方端に２本の信号線を配置して、走査線を挟んで隣接する２つのサブ画素の一方と他方とに、それぞれ、サブ画素の一方端に配置される２本の信号線のうちの一方と他方とから個別に画像データを供給するようにしてもよい。
【００５７】
また、上記第１および第２実施形態では、アモルファスシリコン（ａ−Ｓｉ）からなる薄膜トランジスタを有する液晶表示装置に本発明を適用する例を示したが、本発明はこれに限らない。たとえば、低温ポリシリコンまたは高温ポリシリコンからなる薄膜トランジスタを有する液晶表示装置に本発明を適用してもよい。
【符号の説明】
【００５８】
２  タイミングコントロールブロック（制御回路）      １１  走査線      １２ａ  信号線（第１信号線）      １２ｂ  信号線（第２信号線）      １３  画素      １４、１４ａ、１４ｂ、１４ｃ  サブ画素      １５  薄膜トランジスタ    
【図１】
2011180548.tif 000003
【図２】
2011180548.tif 000004
【図３】
2011180548.tif 000005
【図４】
2011180548.tif 000006
【図５】
2011180548.tif 000007
【図６】
2011180548.tif 000008
【図７】
2011180548.tif 000009
【図８】
2011180548.tif 000010
【図９】
2011180548.tif 000011
【図１０】
2011180548.tif 000012
【図１１】
2011180548.tif 000013
【図１２】
2011180548.tif 000014
【図１３】
2011180548.tif 000015
【図１４】
2011180548.tif 000016